(57)【要約】【課題】  取付作業が容易で且つ位置調整機能を持たせ、更に扉の開き角を制限したり、所望の角度で扉を保持する機能を持つ自閉式扉支持装置を提供する。【解決手段】  出入口枠１の上枠１１における底面１３に突設される上側支持軸２１と、前記出入口枠１の床面１２に突設される下側支持軸３１とで前記出入口枠１内に配置した扉４を開閉可能且つ前記扉４に備えた自閉装置６を介して自閉式に支持する扉体の自閉式扉支持装置であって、前記自閉装置６が、前記扉４の頂面４１に埋設されるケース体５１にそれぞれ内装されている平面形状がハート形または勾玉形の輪郭曲線を有するとともに中心に前記上側支持軸を回転不能に嵌挿支持する嵌挿口５２を有する平面カム部材５３と、前記平面カム部材５３の外周面に形成したカム面５４に沿って転動するローラー部材５５と、前記ローラー部材５５を前記平面カム部材５３へ付勢する圧縮バネ５７がそれぞれ内装されている。【選択図】図１
2016132974.tif 000002
【特許請求の範囲】
【請求項１】
建物に形成された出入口枠の上枠における底面に突設される上側支持軸と、前記出入口枠の床面に突設される下側支持軸とで前記出入口枠内に配置した扉を開閉可能且つ前記扉に備えた自閉装置を介して自閉式に支持する扉体の自閉式扉支持装置であって、前記上側支持軸がその軸線位置を水平方向に移動且つ固定する上側支持軸取付部材に支持されているとともに、前記下側支持軸が軸線位置を水平方向に移動可能且つ固定する下側支持軸取付部材に支持されており、前記自閉装置が、前記扉の頂面に埋設されるケース体にそれぞれ内装されている平面形状がハート形または勾玉形の輪郭曲線を有するとともに中心に前記上側支持軸を回転不能に嵌挿支持する嵌挿口を有する平面カム部材と、前記平面カム部材の外周面に形成したカム面に沿って転動するローラー部材と、前記ローラー部材を前記平面カム部材へ付勢する圧縮バネがそれぞれ内装されていることを特徴とする自閉式扉支持装置。
【請求項２】
前記勾玉形の平面カム部材を用いた場合に、カム軸に歯車を軸着するとともにこの歯車を、前記上側支持軸を回転不能に嵌挿支持する嵌挿口を有するもう１つの歯車に噛合させたことを特徴とする請求項１記載の自閉式扉支持装置。
【請求項３】
前記もう１つの歯車に形成した嵌挿支持する嵌挿口が両面から前記上側支持軸を嵌挿可能であり、前記ケース体を上下方向に反転させて前記扉の頂面に埋設することにより扉の開閉方向に合わせて装着を可能としたことを特徴とする請求項２に記載の自閉式扉支持装置。
【発明の詳細な説明】
【技術分野】
【０００１】
本発明は、建物に形成された出入口枠の上枠における底面に突設される上側支持軸と、前記出入口枠の床面に突設される下側支持軸とで支持された扉を常に閉位置に保持させておくために使用される建物に形成された出入口枠の上枠底面に突設される上側支持軸と、前記出入口枠の床面に突設される下側支持軸とで支持された扉を閉鎖状態に自動的に復帰させるために用いられる自閉式扉支持装置に関するものである。
【背景技術】
【０００２】
従来、建物に形成された出入口枠の上枠底面に突設される上側支持軸と、前記出入口枠の床面に突設される下側支持軸とで支持された扉を常に閉位置に保持させておくために使用される自閉式扉支持装置として、例えば特開２００１−２２７２３６号公報、特開２００４−２３２３３８号公報などに提示されているようなグラビティヒンジを用いたものや特開２００１−３２３７１９号公報などに提示されているようなスイングドアが知られている。
【０００３】
前記グラビティヒンジは蝶番の回動軸部に相対する傾斜カムを設けて扉の自重若しくはスプリングにより一方の傾斜カムを押して自然復帰するようにしたものであるが、扉を開けると扉がせり上がって来るため、扉と上下の戸枠との隙を大きくするか、アウトセット納まりとする必要がある。そのため、遮蔽性や見栄えが悪く、工場やトイレ等のように多少隙間があっても支障のない場所で使用されており、一般的な箇所での扉の使用には不向きである。
【０００４】
また、上軸で扉を吊り下げて支持するスイングドアにあっては、扉の表面に蝶番が見えないばかりかグラビティヒンジに戸枠や床面との間の隙間も少なくて済み外観的には良好であるが、開閉時に扉がせり上がる構造のものもあり、殊に、上部枠金具と扉側上部内蔵の機構部が一体、若しくはそれに近い機構であることから扉を持ち上げながら枠側金具を取り付ける必要があり、二人で作業をしなければならず、普通の丁番を吊り込むより取付作業に手間と時間が掛かってしまう。
【０００５】
また、軸一本で扉の全荷重を支える構造のため、軸及び軸回りの部品に過大な荷重が掛かってしまい、特に、開閉時はバネの力も作用することで割れや破損等の強度的な不安が大きく、万一破損してしまった際には扉が落下する等の危険性もあり、これらの事態を防ぐ必要性から必然的に部品も大きくなってしまう。更に、構造上、取付後の水平方向と上下方向の３方向調整がし難い。特に軸が固定に近い状態であるので上下方向の調整は難しく、常に扉の全荷重が掛かっているため、調整するにも大きな力が必要であるなどの問題があった。
【先行技術文献】
【特許文献】
【０００６】
【特許文献１】特開２００１−２２７２３６号公報
【特許文献２】特開２００４−２３２３３８号公報
【特許文献３】特開２００１−３２３７１９号公報
【発明の概要】
【発明が解決しようとする課題】
【０００７】
本発明は、前記従来の自閉式扉支持装置が有する問題点を解決するためになされたものであり、扉と上下の戸枠との隙を大きくする必要がないばかりか扉の上側の部品を扉内に収容することから外観も美麗であることは言うまでもなく、全体的に部品の小型化が図れ、使用するバネやカムも小さなもので済み、小型の室内建具での使用が可能である。また、扉を持ち上げた状態で金具を取り付ける必要がなく、取付作業も容易であるとともに、水平方向および高さ方向の調整機能を持たせることも可能であり、更に、扉の開き角を制限したり、所望の角度で扉を保持する機能を持たすことができるなど従来に比べて優れた自閉式扉支持装置を提供するものである。
【課題を解決するための手段】
【０００８】
前記課題を解決するためなされた本発明は、建物に形成された出入口枠の上枠における底面に突設される上側支持軸と、前記出入口枠の床面に突設される下側支持軸とで前記出入口枠内に配置した扉を開閉可能且つ前記扉に備えた自閉装置を介して自閉式に支持する扉体の自閉式扉支持装置であって、前記上側支持軸がその軸線位置を水平方向に移動且つ固定する上側支持軸取付部材に支持されているとともに、前記下側支持軸が軸線位置を水平方向に移動可能且つ固定する下側支持軸取付部材に支持されており、前記自閉装置が、前記扉の頂面に埋設されるケース体にそれぞれ内装されている平面形状がハート形または勾玉形の輪郭曲線を有するとともに中心に前記上側支持軸を回転不能に嵌挿支持する嵌挿口を有する平面カム部材と、前記平面カム部材の外周面に形成したカム面に沿って転動するローラー部材と、前記ローラー部材を前記平面カム部材へ付勢する圧縮バネがそれぞれ内装されていることを特徴とする。
【０００９】
また、前記勾玉形の平面カム部材を用いた場合に、カム軸に歯車を軸着するとともにこの歯車を、前記上側支持軸を回転不能に嵌挿支持する嵌挿口を有するもう１つの歯車に噛合させたことを特徴とする。
【００１０】
殊に、前記もう１つの歯車に形成した嵌挿支持する嵌挿口が両面から前記上側支持軸を嵌挿可能であり、前記ケース体を上下方向に反転させて前記扉の頂面に埋設することにより扉の開閉方向に合わせて装着を可能とすることができる。
【発明の効果】
【００１１】
本発明によれば、扉と上下の戸枠との隙を大きくする必要がないばかりか扉の上側の部品を扉内に収容することから外観も美麗であることは言うまでもなく、全体的に部品の小型化が図れ、使用するバネやカムも小さなもので済み、小型の室内建具での使用が可能で、扉を持ち上げた状態で金具を取り付ける必要がなく、取付作業も容易であるとともに、水平方向および高さ方向の調整機能を持たせることも可能であり、更に、扉の開き角を制限することならびに所望の角度で扉を保持する機能を付与することができる。
【図面の簡単な説明】
【００１２】
【図１】本発明の好ましい実施の形態における使用状態を示す概略図。
【図２】図１に示した実施の形態における上側部分の要部を示すものであり、（ａ）は使用状態を示す概略図、（ｂ）は上側支持軸取付部材の底面図、（ｃ）は自閉装置の平面図、（ｄ）は自閉装置の開閉状態を示す説明図。
【図３】図１に示した実施の形態における下側部分の要部を示すものであり、（ａ）は使用状態を示す概略図、（ｂ）は下側支持部材の一部を構成する扉側受部材の平面図、（ｃ）は下側支持軸取付部材の平面図。
【図４】図３（ｃ）に示した下側支持軸取付部材の水平方向の移動状態を示す説明図であり、（ａ）は標準状態、（ｂ）は向かって左方向に調整した状態、（ｃ）は向かって右方向に調整した状態、（ｄ）は向かって前方向に調整した状態、（ｅ）は向かって後方向に調整した状態を示す。
【図５】本発明の異なる実施の形態における使用状態を示す平面図。
【図６】本発明の更に異なる実施の形態における要部を示す概略図。
【発明を実施するための形態】
【００１３】
以下、本発明の実施の形態について図面を参照して説明する。
【００１４】
図１乃至図４は本発明の好ましい実施の形態を示すものであり、本実施の形態は、建物に形成された出入口枠１の上枠１１の底面１３に上側支持軸２１を突設状態で取り付けるための上側支持軸取付部材２と、出入口枠１の床面１２に下側支持軸３１を突設状態で取り付けるための下側支持軸取付部材３と、前記出入口枠１内に配置されて前記上側支持軸２１と下側支持軸３１とで開閉可能に扉４を支持するものである。
【００１５】
また、本実施の形態では前記扉４を自閉するための自閉装置５は、前記扉４の頂面４１に形成される凹部４２に埋設されて取付ネジ５０により固定されたケース体５１内に配置される平面形状がハート形の輪郭曲線を有するとともに中心に前記上側支持軸２１を回転不能に嵌挿支持する嵌挿口５２を有する平面カム部材５３と、平面カム部材５３の外周面に形成したカム面５４に沿って転動するローラー部材５５と、前記ローラー部材５５の支持部材５６と、前記平面カム部材５３のカム面５４へ押圧力を付与するための圧縮バネ５７、更には前記圧縮バネ５７の付勢力を調節する調節ネジ５８などから構成される。
【００１６】
更に、詳細に説明すると、前記上側支持軸２１を支持する上側支持軸取付部材２は、図１および図２に示すように、出入口枠１の上枠１１の底面１３に形成した凹部１４に埋設した状態で取付ネジ２２により固着される基部２３と、前記基部２３の先端を折り返して形成した隙間２４に前記水平方向に移動可能に配置された頂面に前記上側支持軸２１を垂下させた状態に支持する支持部２６とからなり、前記基部２３の折り返し部の端縁に形成した左右方向に延びる開口２５に前記支持部２６の底面に突設したガイド突起２７が前記開口２５内を所定の距離だけ長さ方向へ移動可能に嵌挿されており、前記支持部２６が前記ガイド突起２７を中心として所定の角度範囲で回動可能であって、前記ガイド突起２７の位置調整とガイド突起２７を中心とする回動調整により支持部２６を移動させてガイド突起２７の水平方向（前後左右方向）の取付位置を調整する。そして、水平方向の取付位置を調整した後、予め、前記支持部２６に形成した逃げ孔２９を介してその下の基部２３に形成した固定用のネジ孔（図示せず）にゆるめた状態で螺装しておいた固定ネジ２８を螺締して支持部２６の取付位置を固定して上側支持軸２１を水平方向の所望位置に突設させた状態で固着することができる。
【００１７】
また、本実施の形態では、前記上側支持軸取付部材２を出入口枠１の上枠１１に取り付けるために用いられる取付ネジ２２の内で図示する最右側の取付ネジ２２は、基部２３がずれて万一、基部２３が上枠１１から外れない様に抜け止めの役割も兼ねており、扉４の吊り込みが終わった後、最後に取り付ける。
【００１８】
また、前記下側支持軸３１を支持する下側支持軸取付部材３は、図３および図４に示すように基本的に前記上側支持軸取付部材２とほぼ同様な構造であり、出入口枠１の床面１２に取付ネジ３２により固着される基部３３と、前記基部３３の先端を折り返して形成した隙間３４に前記水平方向に移動可能に配置された底面に前記上側支持軸３１を突設させた支持部３６とからなり、前記基部３３の折り返し部の端縁に形成した左右方向に延びる開口３５に前記支持部３６の頂面に突設したガイド突起３７が嵌挿されているとともに前記支持部３６には前記ガイド突起３７を中心として支持部３６を所定の角度範囲で回動を可能にするとともに前記支持部３６に形成した逃げ孔３９を介してその上の基部３３に形成した固定用のネジ孔（図示せず）にゆるめた状態で螺装しておいた固定ネジ３８を螺締して支持部３６の取付位置を固定して下側支持軸３１を水平方向の所望位置に突設させた状態で固着することができる（図４参照）。
【００１９】
更に、前記下側支持軸取付部材３はそれだけでは下側支持軸３１の軸心位置を水平方向に移動可能とするだけの構成であるが、扉４側には、図１、図３（ａ）、（ｂ）に示すように、扉４の底面４３に形成された凹部４４に前記下側支持部材３の一部を構成する受部材６が埋設されている。
【００２０】
前記受部材６は前記扉４の底面４３に形成された凹部４４に埋設されて取付ネジ６１により固定されるケース体６２と、前記ケース体６２内に上下方向に配置された高さ調整ネジ６３とこの高さ調整ネジ６３の回転により上下動するとともに前記床面１２に設置された下側支持軸３１に被嵌されて扉４を支持する下側支持軸３１の支持部材６４が配置されている。特に、本実施の形態では支持部材６４は底面に形成した前記下側支持軸３１を嵌挿する開口端６５の高さ位置が前記下側支持軸３１の頂面よりも上方位置に移動可能に配置されている。
【００２１】
従って、前記下側支持部材３は、それ自身が下側軸部材３１を水平方向に移動可能であるとともに受部材６により扉４の上下方向の支持位置を移動させて調整可能である。
【００２２】
以上の構成を有する本実施の形態は、図１に示すように、出入口枠１の上枠１１に設置した上側支持軸２１を扉４の上部に設置した自閉装置５の平面カム部材５３における嵌挿口５２に差し込んで回転不能に嵌挿支持するとともに、床面１２に設置した下側支持軸３１を扉４の底面４３に配置した受部材６に載置して扉を出入口枠１に開閉可能に支持する。
【００２３】
このとき、本実施の形態では、支持部２６を上側支持軸取付部材２から取り外し、上側支持軸２１を扉４に設置した自閉装置５の嵌挿口５２に差し込んだ状態として、扉４を抱えて下側支持軸３１を受部材６の支持部材６４に差し込んで扉４を支えながら、支持部２６を基部２３に差し込むとともに固定ネジ２８で固定することにより、極めて容易に扉４を出入口枠１に取り付けることができる。
【００２４】
そして、上側支持軸取付部材２の支持部２６の水平方向位置を調整して上側支持軸２１の水平位置と前記下側支持軸取付部材３の支持部３６の水平方向位置を調節して固定ネジ３８により固定して扉４を正確に出入口枠１に配置させることができ、更に必要なら高さ調整ネジ６３を調節して扉の高さ位置を調整する。
【００２５】
このように、本実施の形態は、扉４を取り付けた状態で前後・左右並びに高さについて扉４の取付位置を調整することができるので操作が容易で、調節もネジを用いて行えるのできわめて便利である。
【００２６】
また、本実施の形態では扉４に前記自閉装置５が配置されているので、図２（ｄ）に示したように、扉が閉じているとき（図の右横方向位置）には、平面カム部材５３の中央に形成された凹部５９に圧縮バネ５７により押圧されたローラー部材５５が接触しているので扉４が閉止状態を維持している。
【００２７】
そして、扉４が開かれたとき、扉４に配置されている前記自閉装置５が、図２（ｄ）に示した位置（図の上または下方向位置）に移動したとき、ローラー部材５５が平面カム部材５３の中央に形成された凹部５９から逸脱してカム面５４に沿って移動するが、扉４への開方向の力が解除されると、圧縮バネ５７により押圧されたローラー部材５５がカム面５４に沿って接触しているので中央に形成した凹部５９に帰還することなり、扉４が自閉することになる。
【００２８】
以上のように、本実施の形態では部品点数も少なく、基本的に上側支持軸２１に吊り下げることなく下側支持軸３１により扉４の重量を支持するので小型の自閉装置５で比較的大型で重量のある扉４にも対応可能で、軸一本で扉の全荷重を支える従来のスィング構造を採用する場合のように自閉装置の軸及び軸回りの部品に過大な荷重が掛かってしまうことによって生じる故障や破損などの心配もなく、また、自閉装置５が上側支持軸３１と独立しているので上側支持軸取付部材２及び下側支持軸取付部材３を上枠１１および床面１２に取り付けてから扉４の設置が可能であり、扉４を保持しながら取付部材を取り付ける困難さがなく取り付けが容易で一人で吊込作業をすることも可能である。特に、扉４を設置した後で、扉の取付位置を水平方向及び上下方向にわたって微細に調整することができる点で優れている。
【００２９】
更に、本実施の形態は扉４の外部に部品が露出しないので外観上も美麗であり、また、平面形状がハート形の輪郭曲線を有する平面カム部材５３を用いたことから使用する扉４が両開き、或いは片開きのどちらでも使用可能であり、片開きの場合には開き方向を問わずに使用することができる。
【００３０】
加えて、自閉力の調節も調節ねじ５８を回すことにより簡単にできることから扉４の自閉速度を調整することが可能であり、同じ部品構成で圧縮バネ５７の強さや本数を変更する事で、例えば重量の異なる扉４の自閉装置５を簡単に提供することができる。
【００３１】
更にまた、本実施の形態では、平面カム部材５３におけるカム面５４の所望の位置に段差や凹みを設けること（図示せず）で扉４の開き角を制限し、或いは所望の角度で扉４を保持する機能を持たせることも可能である。
【００３２】
また、図５は本発明の異なる実施の形態を示すものであり、全体の構成は前記図１乃至図４に示した実施の形態とほぼ同様であるが、前記平面カム部材５３の平面形状がハート形でなく勾玉形である点並びに勾玉形の平面カム部材５３のカム軸に歯車７１を軸着するとともにこの歯車７１を、上側支持軸２１を回転不能に嵌挿支持する嵌挿口５２を有するもう１つの歯車７２に噛合させた点が異なる。
【００３３】
本実施の形態は、使用可能な扉４が片開きのものに限定されるが、反面、カム面５４の距離が長くなり、ローラーの接触長を長く取れるとともに回転半径の差を大きく取れるので戸閉まりの速度に幅を持たせられる、調整幅が広がるという利点を有する。また、カム面の距離が長いので、カム面にローラーを保持させるための段差や凹みを形成し易い。
【００３４】
更に、本実施の形態は、前記もう１つの歯車７２に形成した上側支持軸２１を嵌挿支持する嵌挿口５２が両面から嵌挿可能であり、ケース体５１を上下方向に反転させて前記扉４の頂面４１に埋設することにより扉４の開閉方向に合わせて装着を可能とすることができる。
【００３５】
図５は本発明の更に異なる実施の形態を示すものであり、全体の構成は前記実施の形態と同様であるが、上側支持軸２１を延長して前記嵌挿口５２から突出させた先にロータリー式のダンパーやブレーキなどの制御装置８を取り付けたものであり、更に些細な調整が可能である。
【符号の説明】
【００３６】
１  出入口枠、２  上側支持軸取付部材、３  下側支持軸取付部材、４  扉、５  自閉装置、６  受部材、１１  上枠、１２  床面、１３  底面（上枠）、１４  凹部、２１  上側支持軸、２２  取付ネジ、２３  基部、２４  隙間、２６  支持部、３１  下側支持軸、３２  取付ネジ、３３  基部、３４  隙間、３６  支持部、４１  頂面（扉）、４２  凹部、４３  底面、４４  凹部、５０  取付ネジ、５１  ケース体、５２  嵌挿口、５３  平面カム部材、５４  カム面、５５  ローラー部材、５７  圧縮バネ、６１  取付ネジ、６２  ケース体、６３  高さ調整ネジ、７１，７２  歯車
【図１】
2016132974.tif 000003
【図２】
2016132974.tif 000004
【図３】
2016132974.tif 000005
【図４】
2016132974.tif 000006
【図５】
2016132974.tif 000007
【図６】
2016132974.tif 000008